(57)【要約】【課題】演出装置における演出効果を向上可能な遊技機を提供する。【解決手段】遊技機１の演出装置１００は、第１演出球と、第１演出球とは大きさが異なる第２演出球と、第１演出球及び第２演出球を球回収位置から演出領域１１３の上部に移送し球送出位置において演出領域１１３に送出する移送部１３０と、を備える。移送部１３０が一方向に回転駆動された場合には、第１演出球は第１連通部１７３を介して第１許容部１７１に移動するとともに第２演出球は第２連通部１８３を介して第２規制部１８２に移動し、第１許容部１７１の第１演出球のみを演出領域１１３に送出する。移送部１３０が他方向に回転駆動された場合には、第１演出球は第１連通部１７３を介して第１規制部１７２に移動するとともに第２演出球は第２連通部１８３を介して第２許容部１８１に移動し、第２許容部１８１の第２演出球のみを演出領域１１３に送出する。【選択図】図３
2011177328.tif 000002
【特許請求の範囲】
【請求項１】
遊技盤の遊技領域に発射される遊技球とは異なる演出球を用いて遊技演出を実行する演出装置を備えた遊技機において、
前記演出装置は、
第１演出球と、
前記第１演出球とは大きさが異なる第２演出球と、
遊技者が視認可能なように前記第１演出球及び第２演出球を流下させる演出領域を区画形成するベース部と、
前記演出領域の下部に配設され、流下した前記第１演出球及び第２演出球を回収する回収部と、
回収された前記第１演出球及び前記第２演出球を、球回収位置から前記演出領域の上部に移送し、球送出位置において前記演出領域に送出する移送部と、
前記移送部を駆動する駆動部と、を備え、
前記移送部は、前記駆動部によって回転駆動される回転体であって、前記第１演出球を収容する第１収容部と、前記第２演出球を収容する第２収容部とを備え、
前記第１収容部は、
前記球送出位置において前記演出領域への前記第１演出球の送出を規制する第１規制部と、
前記球送出位置において前記演出領域への前記第１演出球の送出を許容する第１許容部と、
前記第１規制部と前記第１許容部とに連通し、収容された前記第１演出球を前記移送部の回転に伴って前記第１規制部又は前記第１許容部に移動させる第１連通部と、を備え、
前記第２収容部は、
前記球送出位置において前記演出領域への前記第２演出球の送出を規制する第２規制部と、
前記球送出位置において前記演出領域への前記第２演出球の送出を許容する第２許容部と、
前記第２規制部と前記第２許容部とに連通し、収容された前記第２演出球を前記移送部の回転に伴って前記第２規制部又は前記第２許容部に移動させる第２連通部と、を備え、
前記回収部は、
前記球回収位置において前記第１演出球を前記第１収容部へ導く第１誘導部と、
前記球回収位置において前記第２演出球を前記第２収容部へ導く第２誘導部と、を備え、
前記移送部が一方向に回転駆動された場合には、前記球回収位置から前記球送出位置までの過程において、前記第１収容部に収容されている前記第１演出球は前記第１連通部を介して前記第１許容部に移動するとともに前記第２収容部に収容されている前記第２演出球は前記第２連通部を介して前記第２規制部に移動し、前記球送出位置において前記第１演出球が前記第１許容部から前記演出領域に送出され、
前記移送部が他方向に回転駆動された場合には、前記球回収位置から前記球送出位置までの過程において前記第１収容部に収容されている前記第１演出球は前記第１連通部を介して前記第１規制部に移動するとともに前記第２収容部に収容されている前記第２演出球は前記第２連通部を介して前記第２許容部に移動し、前記球送出位置において前記第２演出球が前記第２許容部から前記演出領域に送出されることを特徴とする遊技機。
【請求項２】
前記移送部は、前記ベース部の裏面に配設された円板状部材であって、円板中心を回転中心として回転するように構成されており、
前記第１収容部は、前記第１規制部と前記第１許容部とを前記移送部の周方向に連設して配設するとともに、前記第１規制部及び前記第１許容部よりも前記移送部の外縁側に前記第１連通部を配設し、
前記第２収容部は、前記第１収容部とは前記移送部の回転中心からの距離を異ならせて設けられ、前記第２規制部と前記第２許容部とを前記移送部の周方向に連設して配設するとともに、前記第２規制部及び前記第２許容部よりも前記移送部の外縁側に前記第２連通部を配設し、
前記第１規制部及び前記第１許容部の前記周方向の並び順は、前記第２規制部及び前記第２許容部の前記周方向の並び順とは逆に設定されることを特徴とする請求項１に記載の遊技機。
【請求項３】
前記移送部は、前記ベース部の裏面に配設された円板状部材であって、円板中心を回転中心として回転するように構成されており、
前記第１収容部は、前記第１許容部を前記演出領域側に配設し、前記第１許容部の後方に連設するように前記第１規制部を配設し、前記第１規制部及び前記第１許容部よりも前記移送部の外縁側に前記第１連通部を配設しており、
前記第２収容部は、前記第１収容部とは前記移送部の回転中心からの距離を異ならせて設けられ、前記第２許容部を前記演出領域側に配設し、前記第２許容部の後方に連設するように前記第２規制部を配設し、前記第２規制部及び前記第２許容部よりも前記移送部の外縁側に前記第２連通部を配設しており、
前記第１連通部は、前記移送部の周方向に対向する一対の第１転動面を有し、前記球回収位置から前記球送出位置までの過程で前記第１演出球をいずれか一方の前記第１転動面で転動させるように構成され、
前記第２連通部は、前記移送部の周方向に対向する一対の第２転動面を有し、前記球回収位置から前記球送出位置までの過程で前記第２演出球をいずれか一方の前記第２転動面で転動させるように構成され、
前記第１転動面及び前記第２転動面は前記移送部の回転中心軸方向に対して傾斜するように形成されるとともに、前記第１転動面の傾斜方向は前記第２転動面の傾斜方向とは逆向きに設定されることを特徴とする請求項１に記載の遊技機。
【請求項４】
前記第１許容部は、前記球送出位置において前記第１演出球を送出可能なように、前記演出領域に向かって下り傾斜する第１底部を備え、
前記第２許容部は、前記球送出位置において前記第２演出球を送出可能なように、前記演出領域に向かって下り傾斜する第２底部を備えることを特徴とする請求項２又は請求項３に記載の遊技機。
【請求項５】
前記第１規制部は、前記球送出位置において前記第１演出球が前記演出領域に向かって移動するのを規制する第１リブを備え、
前記第２規制部は、前記球送出位置において前記第２演出球が前記演出領域に向かって移動するのを規制する第２リブを備えることを特徴とする請求項２から請求項４のいずれか一つに記載の遊技機。
【請求項６】
前記遊技領域に設けられた始動入賞口への遊技球の入賞に基づいて、複数の識別情報を変動表示する変動表示ゲームを実行可能な変動表示手段と、
前記変動表示ゲームの結果が特別結果になった場合に、遊技者に有利な特別遊技状態を生起することが可能な特別遊技状態生起手段と、
前記駆動部を駆動して前記移送部の回転方向を制御する制御手段と、を備え、
前記制御手段は、前記変動表示ゲームの結果が前記特別結果となる期待度の高さに応じて、前記変動表示ゲームの実行中に前記第１演出球又は前記第２演出球が前記演出領域に送出されるように前記移送部を回転させることを特徴とする請求項１から請求項５のいずれか一つに記載の遊技機。
【請求項７】
前記第１演出球は、前記第２演出球よりも大きな球であって、
前記制御手段は、前記変動表示ゲームの結果が前記特別結果となる期待度が高い場合には前記第１演出球が前記演出領域に送出されるように前記移送部を前記一方向に回転させ、前記変動表示ゲームの結果が前記特別結果となる期待度が低い場合には前記第２演出球が前記演出領域に送出されるように前記移送部を前記他方向に回転させることを特徴とする請求項６に記載の遊技機。
【発明の詳細な説明】
【技術分野】
【０００１】
本発明は、遊技球を用いる遊技機、特に遊技球とは異なる演出球を用いて遊技演出を実行する演出装置を備えた遊技機に関する。
【背景技術】
【０００２】
従来の遊技機、例えばパチンコ遊技機は、発射装置により発射された遊技球が遊技盤に形成された遊技領域を流下する過程で始動入賞口に入賞した時に、変動表示装置において識別情報を変動表示させる変動表示ゲーム等の補助遊技を実行する。このようなパチンコ遊技機は、一般的に、補助遊技の結果が予め定められた特別結果になった時に、遊技者に有利な特別遊技状態（例えば、遊技領域に設けられる変動入賞装置の開閉部を開状態に変換する大当り遊技状態）を生起するように構成されている。
【０００３】
特許文献１及び特許文献２には、演出球を内部に封入した演出装置を遊技盤に備え、補助遊技の結果が特別結果となる期待度の高さに応じて演出装置内の演出領域に演出球を送出し、演出球の挙動を遊技者に視認させることによって遊技演出を行う遊技機が開示されている。
【先行技術文献】
【特許文献】
【０００４】
【特許文献１】特開２００９−１６５８８６号公報
【特許文献２】実開昭６３−４３５７９号公報
【発明の概要】
【発明が解決しようとする課題】
【０００５】
しかしながら、特許文献１及び特許文献２に記載の遊技機では、演出装置内に同じ大きさの演出球を複数封入して、これら演出球を循環使用するので、演出領域に送出される演出球の見た目に変化がなく、演出装置で実行される遊技演出が単調になってしまうという問題がある。
【０００６】
そこで、本発明は、上記した問題点に鑑みてなされたものであり、演出装置における演出効果を向上可能な遊技機を提供することを目的とする。
【課題を解決するための手段】
【０００７】
第１の発明は、遊技盤の遊技領域に発射される遊技球とは異なる演出球を用いて遊技演出を実行する演出装置を備えた遊技機において、前記演出装置は、第１演出球と、前記第１演出球とは大きさが異なる第２演出球と、遊技者が視認可能なように前記第１演出球及び第２演出球を流下させる演出領域を区画形成するベース部と、前記演出領域の下部に配設され、流下した前記第１演出球及び第２演出球を回収する回収部と、回収された前記第１演出球及び前記第２演出球を、球回収位置から前記演出領域の上部に移送し、球送出位置において前記演出領域に送出する移送部と、前記移送部を駆動する駆動部と、を備え、前記移送部は、前記駆動部によって回転駆動される回転体であって、前記第１演出球を収容する第１収容部と、前記第２演出球を収容する第２収容部とを備え、前記第１収容部は、前記球送出位置において前記演出領域への前記第１演出球の送出を規制する第１規制部と、前記球送出位置において前記演出領域への前記第１演出球の送出を許容する第１許容部と、前記第１規制部と前記第１許容部とに連通し、収容された前記第１演出球を前記移送部の回転に伴って前記第１規制部又は前記第１許容部に移動させる第１連通部と、を備え、前記第２収容部は、前記球送出位置において前記演出領域への前記第２演出球の送出を規制する第２規制部と、前記球送出位置において前記演出領域への前記第２演出球の送出を許容する第２許容部と、前記第２規制部と前記第２許容部とに連通し、収容された前記第２演出球を前記移送部の回転に伴って前記第２規制部又は前記第２許容部に移動させる第２連通部と、を備え、前記回収部は、前記球回収位置において前記第１演出球を前記第１収容部へ導く第１誘導部と、前記球回収位置において前記第２演出球を前記第２収容部へ導く第２誘導部と、を備え、前記移送部が一方向に回転駆動された場合には、前記球回収位置から前記球送出位置までの過程において、前記第１収容部に収容されている前記第１演出球は前記第１連通部を介して前記第１許容部に移動するとともに前記第２収容部に収容されている前記第２演出球は前記第２連通部を介して前記第２規制部に移動し、前記球送出位置において前記第１演出球が前記第１許容部から前記演出領域に送出され、前記移送部が他方向に回転駆動された場合には、前記球回収位置から前記球送出位置までの過程において前記第１収容部に収容されている前記第１演出球は前記第１連通部を介して前記第１規制部に移動するとともに前記第２収容部に収容されている前記第２演出球は前記第２連通部を介して前記第２許容部に移動し、前記球送出位置において前記第２演出球が前記第２許容部から前記演出領域に送出されることを特徴とする。
【０００８】
第２の発明は、前記移送部は、前記ベース部の裏面に配設された円板状部材であって、円板中心を回転中心として回転するように構成されており、前記第１収容部は、前記第１規制部と前記第１許容部とを前記移送部の周方向に連設して配設するとともに、前記第１規制部及び前記第１許容部よりも前記移送部の外縁側に前記第１連通部を配設し、前記第２収容部は、前記第１収容部とは前記移送部の回転中心からの距離を異ならせて設けられ、前記第２規制部と前記第２許容部とを前記移送部の周方向に連設して配設するとともに、前記第２規制部及び前記第２許容部よりも前記移送部の外縁側に前記第２連通部を配設し、前記第１規制部及び前記第１許容部の前記周方向の並び順は、前記第２規制部及び前記第２許容部の前記周方向の並び順とは逆に設定されることを特徴とする。
【０００９】
第３の発明は、前記移送部は、前記ベース部の裏面に配設された円板状部材であって、円板中心を回転中心として回転するように構成されており、前記第１収容部は、前記第１許容部を前記演出領域側に配設し、前記第１許容部の後方に連設するように前記第１規制部を配設し、前記第１規制部及び前記第１許容部よりも前記移送部の外縁側に前記第１連通部を配設しており、前記第２収容部は、前記第１収容部とは前記移送部の回転中心からの距離を異ならせて設けられ、前記第２許容部を前記演出領域側に配設し、前記第２許容部の後方に連設するように前記第２規制部を配設し、前記第２規制部及び前記第２許容部よりも前記移送部の外縁側に前記第２連通部を配設しており、前記第１連通部は、前記移送部の周方向に対向する一対の第１転動面を有し、前記球回収位置から前記球送出位置までの過程で前記第１演出球をいずれか一方の前記第１転動面で転動させるように構成され、前記第２連通部は、前記移送部の周方向に対向する一対の第２転動面を有し、前記球回収位置から前記球送出位置までの過程で前記第２演出球をいずれか一方の前記第２転動面で転動させるように構成され、前記第１転動面及び前記第２転動面は前記移送部の回転中心軸方向に対して傾斜するように形成されるとともに、前記第１転動面の傾斜方向は前記第２転動面の傾斜方向とは逆向きに設定されることを特徴とする。
【００１０】
第４の発明は、前記第１許容部は、前記球送出位置において前記第１演出球を送出可能なように、前記演出領域に向かって下り傾斜する第１底部を備え、前記第２許容部は、前記球送出位置において前記第２演出球を送出可能なように、前記演出領域に向かって下り傾斜する第２底部を備えることを特徴とする。
【００１１】
第５の発明は、前記第１規制部は、前記球送出位置において前記第１演出球が前記演出領域に向かって移動するのを規制する第１リブを備え、前記第２規制部は、前記球送出位置において前記第２演出球が前記演出領域に向かって移動するのを規制する第２リブを備えることを特徴とする。
【００１２】
第６の発明は、前記遊技領域に設けられた始動入賞口への遊技球の入賞に基づいて、複数の識別情報を変動表示する変動表示ゲームを実行可能な変動表示手段と、前記変動表示ゲームの結果が特別結果になった場合に、遊技者に有利な特別遊技状態を生起することが可能な特別遊技状態生起手段と、前記駆動部を駆動して前記移送部の回転方向を制御する制御手段と、を備え、前記制御手段は、前記変動表示ゲームの結果が前記特別結果となる期待度の高さに応じて、前記変動表示ゲームの実行中に前記第１演出球又は前記第２演出球が前記演出領域に送出されるように前記移送部を回転させることを特徴とする。
【００１３】
第７の発明は、前記第１演出球は、前記第２演出球よりも大きな球であって、前記制御手段は、前記変動表示ゲームの結果が前記特別結果となる期待度が高い場合には前記第１演出球が前記演出領域に送出されるように前記移送部を前記一方向に回転させ、前記変動表示ゲームの結果が前記特別結果となる期待度が低い場合には前記第２演出球が前記演出領域に送出されるように前記移送部を前記他方向に回転させることを特徴とする。
【発明の効果】
【００１４】
第１〜第５の発明によれば、移送部が一方向に回転駆動された場合には、第１収容部に収容されている第１演出球が、第１連通部を介して第１許容部に移動し、球送出位置において第１許容部から演出領域に送出される。一方、移送部が他方向に回転駆動された場合には、第２収容部に収容されている第２演出球が、第２連通部を介して第２許容部に移動し、球送出位置において第２許容部から演出領域に送出される。このように移送部の回転方向を変更することによって、第１演出球による遊技演出と第２演出球による遊技演出を選択的に実行することができる。したがって、大きさが同じ演出球のみで遊技演出を行う従来の演出装置と比較して、演出装置での演出効果を高めることが可能となる。
【００１５】
第６及び第７の発明によれば、変動表示ゲームの結果が特別結果となる期待度に応じて移送部の回転方向を制御するので、特別結果となる期待度に合わせた遊技演出を実現することができ、演出装置での演出効果をさらに高めることが可能となる。
【図面の簡単な説明】
【００１６】
【図１】本発明の第１実施形態における遊技機の斜視図である。
【図２】遊技機に設けられる遊技盤の正面図である。
【図３】演出球を用いた遊技演出を行う演出装置の分解斜視図である。
【図４】演出装置の横断面図である。
【図５】（Ａ）はベース部材の前面斜視図であり、（Ｂ）はベース部材の裏面斜視図である。
【図６】（Ａ）はベース部材に設置された前面カバーの前面斜視図であり、（Ｂ）は前面カバーの裏面斜視図である。
【図７】（Ａ）はベース部材に設置された前面カバーの裏面斜視図であり、（Ｂ）は前面カバーに形成される回収通路の拡大図である。
【図８】（Ａ）は回転部材の前面斜視図であり、（Ｂ）は回転部材の裏面斜視図である。
【図９】回転部材に形成される大収容孔及び小収容孔の拡大図である。
【図１０】（Ａ）及び（Ｂ）は、裏面カバーの前面斜視図及び裏面斜視図である。
【図１１】（Ａ）及び（Ｂ）は、大演出球送出直後の演出装置及び回転部材を示す図である。
【図１２】（Ａ）及び（Ｂ）は、反時計回りに回転中の回転部材を示す図である。
【図１３】（Ａ）及び（Ｂ）は、反時計回りに回転後の回転部材及び演出装置を示す図である。
【図１４】回収通路近傍の演出装置の縦断面図である。
【図１５】（Ａ）及び（Ｂ）は、時計回りに回転中の回転部材を示す図である。
【図１６】（Ａ）及び（Ｂ）は、時計回りに回転後の回転部材及び演出装置を示す図である。
【図１７】回収通路近傍の演出装置の縦断面図である。
【図１８】遊技制御装置を中心とする制御系を示すブロック構成図である。
【図１９】演出制御装置を中心とする制御系を示すブロック構成図である。
【図２０】演出制御装置の状態遷移図である。
【図２１】（Ａ）は遊技制御装置から演出制御装置に送信される変動パターンコマンドをテーブル化した情報設定テーブルの一例であり、（Ｂ）は演出装置等による遊技演出のタイミングチャートの一例である。
【図２２】第２実施形態における遊技機の演出装置の分解斜視図である。
【図２３】（Ａ）は回転部材の分解斜視図であり、（Ｂ）は回転部材の裏面斜視図である。
【図２４】（Ａ）は回転部材の前面斜視図であり、（Ｂ）は大収容孔及び小収容孔の拡大図である。
【図２５】（Ａ）は回転部材の縦断面図であり、（Ｂ）は回転部材の横断面図である。
【図２６】（Ａ）は前面カバーの一部を省略した時の演出装置の前面斜視図であり、（Ｂ）は演出装置の縦断面図である。
【図２７】（Ａ）及び（Ｂ）は、演出装置の横断面図及び縦断面図である。
【発明を実施するための形態】
【００１７】
（第１実施形態）
以下、図面を参照して、本発明の第１の実施形態について説明する。なお、実施形態の説明における前後左右とは、遊技盤に向かって見た方向（遊技者から見た方向）を指すものとする。
【００１８】
図１を参照して、第１実施形態における遊技機１について説明する。図１は、遊技機１の斜視図である。
【００１９】
遊技機１は、島設備に固定される本体枠２と、右側部が開閉回動自在となるようにヒンジ３を介して本体枠２に設置される開閉枠４とを備える。
【００２０】
開閉枠４は、前面枠５及びガラス枠６によって構成される。前面枠５には、遊技領域３１を有する遊技盤３０（図２参照）が配設される。前面枠５には、遊技盤３０の前面を覆うカバーガラス６ａを有するガラス枠６が取り付けられる。前面枠５及びガラス枠６は、それぞれ個別に開放することが可能となっている。
【００２１】
ガラス枠６のカバーガラス６ａの周囲には、装飾部材７が配設されている。装飾部材７の内部にはランプやＬＥＤ等によって構成される枠装飾装置２１（図１９参照）が収容されており、この枠装飾装置２１を制御することによって装飾部材７での発光状態が調整される。
【００２２】
ガラス枠６の上部には照明ユニット８が配設され、照明ユニット８の左右両側には可動式照明９が配設される。照明ユニット８は、内部にランプやＬＥＤ等の照明部材を収容しており、遊技状態に応じて発光演出を行う。可動式照明９は、ランプやＬＥＤ等の照明部材と、照明部材を駆動する照明駆動モータ等から構成される枠演出装置２２（図１９参照）とを備える。可動式照明９の枠演出装置２２は、遊技状態に応じて照明部材を駆動（例えば回転駆動）する。
【００２３】
遊技機１は、効果音や警報音、報知音等を発する上スピーカー１０ａ及び下スピーカー１０ｂを備える。上スピーカー１０ａはガラス枠６の上両側部に配置され、下スピーカー１０ｂは上皿ユニット１１を構成する上皿１１ａの下方に配置される。
【００２４】
左側部に配設される可動式照明９の近傍には、遊技機１における異常を報知するための遊技状態報知ＬＥＤ１２が備えられる。遊技機１において異常が発生した場合には、遊技状態報知ＬＥＤ１２が点灯又は点滅するとともに、上スピーカー１０ａ及び下スピーカー１０ｂから異常を報知するための報知音が出力される。
【００２５】
遊技機１で発生する異常には、遊技機１の故障及び不正行為の実施等が含まれる。不正行為には、発射された遊技球の軌道を磁石によって不正に操作する行為や遊技機１を振動させる行為等がある。これらの不正行為は、磁気センサスイッチ２３（図１８参照）によって磁気を検出したり、振動センサスイッチ２４（図１８参照）によって振動を検出したりすることで検知される。また、不正に開閉枠４を開放する行為も不正行為に含まれる。前面枠５の開閉状態は前面枠開放検出スイッチ２５（図１８参照）によって検出され、ガラス枠６の開閉状態はガラス枠開放検出スイッチ２６（図１８参照）によって検出される。
【００２６】
ガラス枠６のカバーガラス６ａの下方には、上皿１１ａを含む上皿ユニット１１が設置される。上皿１１ａは、前面枠５に設けられた球発射装置（図示省略）に遊技球を供給する。ガラス枠６の下方位置であって前面枠５に固定される固定パネル１３には、下皿１４及び球発射装置を駆動するための操作部１５が備えられる。遊技者が操作部１５を回動操作することによって、球発射装置は上皿１１ａから供給された遊技球を遊技盤３０の遊技領域３１（図２参照）に発射する。下皿１４には、下皿１４に貯まった遊技球を排出するための球抜き機構１６が設けられる。
【００２７】
上皿ユニット１１には、遊技者からの操作入力を受け付けるための演出ボタン１７が上皿１１ａの手前側に配設されている。遊技者が演出ボタン１７を操作することによって、変動表示装置３５（図２参照）での変動表示ゲームに遊技者の操作を介入させた演出を行うことができ、特別な遊技状態が発生していない通常遊技状態においても演出パターンを変更することができる。
【００２８】
ガラス枠６の下部中央には、遊技者が遊技球を借りる場合に操作する球貸ボタン１８と、カードユニット（図示省略）からプリペイドカードを排出させるために操作される排出ボタン１９とが配設される。球貸ボタン１８と排出ボタン１９との間には、プリペイドカード等の残高を表示する残高表示部２０が設けられている。
【００２９】
次に、図２を参照して、遊技機１に設けられる遊技盤３０について説明する。
【００３０】
遊技盤３０は、合板やプラスチック等からなる矩形状の遊技盤本体３２の前面に、区画部材としてのガイドレール３３を設けることで略円形状の遊技領域３１を区画形成している。
【００３１】
遊技領域３１には、開口部３４ａを有するセンターケース３４が配設される。遊技盤３０にはセンターケース３４の外周に沿った形状の開口が形成されており、センターケース３４はその開口に遊技盤３０の前方から嵌装される。センターケース３４の上左側部には、変動表示ゲームの結果に応じて遊技球を受け入れない状態と受け入れ易い状態とに変換可能な上部大入賞口３６が配設される。
【００３２】
遊技盤３０の裏面には、変動表示ゲームを表示可能な表示部３５ａを有する変動表示装置３５が制御ベースユニット（図示省略）を介して配設される。変動表示装置３５は、その表示部３５ａがセンターケース３４の開口部３４ａに臨むように配設される。変動表示装置３５は、表示部３５ａに複数の表示領域（例えば、左側、中央、右側の三つの表示領域）を設定し、各表示領域の各々で独立した識別情報を変動表示して、変動表示ゲームを実行する。
【００３３】
遊技領域３１の下部中央には、遊技球の入賞に基づき特別図柄（特図）変動表示ゲームの始動条件を付与可能な始動入賞口３７が配設される。始動入賞口３７は、遊技球が入賞した場合に第１特図変動表示ゲームが行われる第１始動入賞口３７ａと、遊技球が入賞した場合に第２特図変動表示ゲームが行われる第２始動入賞口３７ｂとを備える。
【００３４】
第２始動入賞口３７ｂは、第１始動入賞口３７ａの直下方に配設されており、左右一対の開閉部材３７ｃを備えている。開閉部材３７ｃは、通常遊技状態においては、遊技球の直径程度の間隔をおいて閉じた状態（遊技者にとって不利な状態）を保持している。後述する状態表示器４２において実行される普図変動表示ゲームが当りとなった場合には、普電ソレノイド２７（図１８参照）によって先端が開くように開閉部材３７ｃが回動され、第２始動入賞口３７ｂに遊技球が流入し易い状態（遊技者にとって有利な状態）となる。
【００３５】
遊技領域３１における第２始動入賞口３７ｂの下方には、遊技状態に応じて遊技球を受け入れない状態と受け入れ易い状態とに変換可能な下部大入賞口３８が配設される。また、遊技領域３１におけるセンターケース３４の左側方には、遊技球が通過した場合に普通図柄（普図）変動表示ゲームが行われる普図始動ゲート３９が配設される。さらに、遊技領域３１における始動入賞口３７の両側方には、遊技球が入賞した場合に賞球を払い出す条件だけが成立する一般入賞口４０が複数配設される。これらの他に遊技領域３１には、遊技球の落下方向を変える風車（図示省略）や釘（図示省略）等の方向変換部材や、入賞せずに流下した遊技球を回収するアウト口４１が配設される。
【００３６】
遊技盤３０の右下部には、特図変動表示ゲームの特図の変動表示、特図入賞記憶数（始動記憶数）、普図変動表示ゲームの普図の変動表示、普図入賞記憶数、及び大当たりの決定ラウンド数を表示する状態表示器４２が配設される。
【００３７】
遊技機１では、球発射装置（図示省略）によって打ち出された遊技球は、ガイドレール３３によって区画された発射球案内通路４３を通って遊技領域３１に発射され、方向変換部材（図示省略）によって落下方向を変えながら遊技領域３１内を流下する。遊技領域３１内を流下した遊技球は、始動入賞口３７、一般入賞口４０、上部大入賞口３６又は下部大入賞口３８に入賞するか、アウト口４１から排出される。
【００３８】
始動入賞口３７、一般入賞口４０、上部大入賞口３６又は下部大入賞口３８に遊技球が入賞すると、入賞した入賞口の種類に応じた数の賞球が払出装置（図示省略）から排出される。
【００３９】
始動入賞口３７に遊技球が入賞すると、変動表示装置３５では三つの数字等で構成される識別情報が順に変動表示する特図変動表示ゲームが開始される。始動入賞口３７への遊技球の入賞が所定のタイミングでなされた時には、特図変動表示ゲームの結果が特別結果（大当たり状態）となり、三つの表示図柄が揃った状態で停止する。この場合には、上部大入賞口３６及び下部大入賞口３８の少なくとも一方が所定時間だけ遊技球を受け入れない閉状態（遊技者に不利な状態）から遊技球を受け入れやすい開状態（遊技者に有利な状態）となる。上部大入賞口３６や下部大入賞口３８が所定時間だけ開状態となることによって、遊技者には多くの遊技球を獲得可能な遊技価値が付与される。上部大入賞口３６及び下部大入賞口３８の開閉は、各大入賞口ソレノイド２８ａ、２８ｂ（図１８参照）を介して行われる。
【００４０】
また、遊技球が普図始動ゲート３９を通過すると、状態表示器４２で普図変動表示ゲームが開始される。普図始動ゲート３９への遊技球の通過が所定のタイミングでなされた時には普通図柄に関する当たり状態となり、状態表示器４２に表示される普通図柄が当たり状態で停止する。この場合には、第２始動入賞口３７ｂに設けられた開閉部材３７ｃが普電ソレノイド２７（図１８参照）によって駆動され所定時間だけ拡開し、第２始動入賞口３７ｂへの遊技球の入賞可能性が高められる。
【００４１】
なお、始動入賞口３７、一般入賞口４０、上部大入賞口３６又は下部大入賞口３８に入賞しなかった遊技球は、遊技領域３１の最下部に設けられたアウト口４１から排出される。
【００４２】
上記した遊技機１は、遊技状態に応じて遊技演出を行う演出装置１００を備える。演出装置１００は、遊技球とは異なる演出球を演出領域に送出し、演出領域流下時の演出球の挙動を遊技者に視認させることによって遊技演出を実行する装置である。この演出装置１００は、センターケース３４の上部に配設される。
【００４３】
図３及び図４を参照して、演出装置１００の構成について説明する。図３は演出装置１００の分解斜視図であり、図４は演出装置１００の横断面図である。
【００４４】
演出装置１００は、小演出球及び小演出球よりも大きい大演出球をそれぞれ２つずつ用いて遊技演出を行うように構成されている。演出装置１００は、センターケース３４に固定されるベース部材１１０と、ベース部材１１０の前面に配設される前面カバー１２０と、ベース部材１１０の裏面に回転自在に配設される回転部材１３０と、回転部材１３０を覆うようにベース部材１１０の裏面に配設される裏面カバー１４０と、回転部材１３０を回転駆動する駆動モータ（駆動部）１５０と、を備える。
【００４５】
図４及び図５を参照して、演出装置１００のベース部材１１０について説明する。図５（Ａ）はベース部材１１０の前面斜視図であり、図５（Ｂ）はベース部材１１０の裏面斜視図である。
【００４６】
図５（Ａ）及び図５（Ｂ）に示すように、ベース部材１１０は、円筒部１１１と、円筒部１１１を前方の演出領域１１３及び後方の収容領域１１４に仕切る隔壁１１２と、を備える。演出領域１１３は、小演出球や大演出球が流下できるように形成されている。収容領域１１４には、図４に示すように回転部材１３０が回転自在に収容される。
【００４７】
隔壁１１２の上部には、小演出球を演出領域１１３側に通過させる小送出口１１５ａと、大演出球を演出領域１１３側に通過させる大送出口１１５ｂとが形成される。小送出口１１５ａは、大送出口１１５ｂよりも上方に形成される。小送出口１１５ａの中心はベース部材１１０の中心を上下方向に通る中心線に対して一方側（図５（Ａ）において左側）にずれて位置しており、大送出口１１５ｂの中心はその中心線に対して他方側（図５（Ａ）において右側）にずれて位置している。
【００４８】
大送出口１１５ｂより下方の隔壁１１２には、流下した小演出球や大演出球を転動させる第１転動部１１６が突出形成される。第１転動部１１６は、左右方向に延設され、中央部が最も高くなる円弧状に形成される。
【００４９】
隔壁１１２の下部には、演出領域１１３を流下した小演出球を収容領域１１４側に通過させる小回収口１１７ａと、演出領域１１３を流下した大演出球を収容領域１１４側に通過させる大回収口１１７ｂとが形成される。小回収口１１７ａは、大回収口１１７ｂの直下方に形成される。小回収口１１７ａの中心及び大回収口１１７ｂの中心は、ベース部材１１０の中心を上下方向に通る中心線上に位置している。
【００５０】
隔壁１１２の前面には、小演出球や大演出球の流下挙動をより複雑にするための第２転動部１６０が配設される。第２転動部１６０は、第１転動部１１６と大回収口１１７ｂとの間の演出領域１１３に設けられる。第２転動部１６０は、左右方向に延設される転動ステージ１６１と、転動ステージ１６１の中央部に設けられるクルーン１６２と、転動ステージ１６１の両端に形成される係合突起１６３とを備える。
【００５１】
転動ステージ１６１は、中央部が最も低くなる円弧状に形成されている。
【００５２】
クルーン１６２は、すり鉢状であって、図４に示すように円筒部１１１の前端部よりも前方に突出する。クルーン１６２は、転動ステージ１６１の中央部に一体形成されている。クルーン１６２の底部には、小演出球及び大演出球が通過可能な貫通孔１６４が形成されている。
【００５３】
係合突起１６３は、図５（Ａ）に示すように、転動ステージ１６１の両端から下方に延設されている。第２転動部１６０は、係合突起１６３が円筒部１１１に形成された係合受部１１１ａに係合することによって、ベース部材１１０に固定される。
【００５４】
ベース部材１１０は、隔壁１１２の前面に、三つの７セグメントＬＥＤからなる表示部１１８を備える。表示部１１８は、特図変動表示ゲームの結果に対する期待度に応じた数値等を表示するように構成されている。
【００５５】
次に、図４、図６、及び図７を参照して、ベース部材１１０の前面に配設される前面カバー１２０について説明する。図６（Ａ）はベース部材１１０に設置された前面カバー１２０の前面斜視図であり、図６（Ｂ）は前面カバー１２０の裏面斜視図である。図７（Ａ）はベース部材１１０に設置された前面カバー１２０の裏面斜視図であり、図７（Ｂ）は前面カバー１２０に形成される回収通路１２４の拡大図である。
【００５６】
図４、図６（Ａ）、及び図６（Ｂ）に示すように、前面カバー１２０は、ベース部材１１０の前面を覆う円板部１２１と、第２転動部１６０のクルーン１６２を収容するクルーン収容部１２２と、壁部１２３によって画成されて小演出球及び大演出球を回収する回収通路（回収部）１２４と、ベース部材１１０の表示部１１８が臨む開口部１２５とを備える。前面カバー１２０は、遊技者がベース部材１１０の演出領域１１３を視認可能なように透明な樹脂材によって形成されている。
【００５７】
クルーン収容部１２２は、円板部１２１の略中央に、円板部１２１から前方に膨出するように形成される。クルーン収容部１２２は、半円柱状に形成される。クルーン収容部１２２内には、円筒部１１１の前端部から突出するクルーン１６２が収容される。
【００５８】
回収通路１２４は、図７（Ａ）及び図７（Ｂ）に示すように、円板部１２１と、壁部１２３と、ベース部材１１０の隔壁１１２（図５（Ａ）参照）とによって画成された通路であって、クルーン１６２の貫通孔１６４から落下した小演出球及び大演出球を流下させる。回収通路１２４は、上下方向に延設された通路であって、大演出球をベース部材１１０の大回収口１１７ｂ（図５（Ａ）参照）に誘導する第１誘導路１２６と、小演出球をベース部材１１０の小回収口１１７ａ（図５（Ａ）参照）に誘導する第２誘導路１２７と、を備える。
【００５９】
第１誘導路１２６は、小演出球及び大演出球が流下可能な通路として形成される。第２誘導路１２７は、第１誘導路１２６の下流端から下方に延設され、小演出球のみが流下可能な通路として形成される。第１誘導路１２６と第２誘導路１２７との接続位置における壁部１２３の接続部１２３ａは、大演出球を大回収口１１７ｂ（図５（Ａ）参照）に案内するように後方に向かって下り傾斜している。第２誘導路１２７の下流端底部１２７ａは、小演出球を小回収口１１７ａ（図５（Ａ）参照）に案内するように後方に向かって下り傾斜している。
【００６０】
クルーン１６２の貫通孔１６４から落下した大演出球は、第２誘導路１２７を通過することができないので、第１誘導路１２６を接続部１２３ａまで流下した後、接続部１２３ａ上を転動して大回収口１１７ｂ（図５（Ａ）参照）に導かれる。一方、クルーン１６２の貫通孔１６４から落下した小演出球は、第１誘導路１２６を通過し、第２誘導路１２７の下流端まで流下した後、下流端底部１２７ａ上を転動して小回収口１１７ａ（図５（Ａ）参照）に導かれる。
【００６１】
図４、図８、及び図９を参照して、ベース部材１１０の裏面に回転自在に配設される回転部材１３０について説明する。図８（Ａ）は回転部材１３０の前面斜視図であり、図８（Ｂ）は回転部材１３０の裏面斜視図である。図９は、回転部材１３０に形成される大収容孔１７０及び小収容孔１８０の拡大図である。
【００６２】
回転部材１３０は、回収通路１２４（図７（Ａ）参照）によって回収された小演出球及び大演出球を、球回収位置から演出領域１１３（図５（Ａ）参照）の上部の球送出位置まで移送し、ベース部材１１０の小送出口１１５ａ及び大送出口１１５ｂ（図５（Ａ）参照）から送出する移送部である。
【００６３】
図４に示すように、回転部材１３０は、ベース部材１１０の収容領域１１４に収容された状態で、ベース部材１１０に対して回転可能な回転体として形成されている。回転部材１３０は、後述する駆動モータ１５０によって駆動され、回転部材１３０の中心を回転中心として回転する。
【００６４】
図８（Ａ）及び図８（Ｂ）に示すように、回転部材１３０は、前方円板部１３１と、前方円板部１３１の裏面に配設される後方円板部１３２と、を備える。
【００６５】
前方円板部１３１には、ベース部材１１０の隔壁１１２（図４参照）と後方円板部１３２との間で大演出球を収容可能な大収容孔１７０及び隔壁１１２（図４参照）と後方円板部１３２との間で小演出球を収容可能な小収容孔１８０が形成される。
【００６６】
大収容孔１７０は前方円板部１３１に一対配設され、これら大収容孔１７０は回転中心に対して点対称となるように設けられる。
【００６７】
また、小収容孔１８０も前方円板部１３１に一対配設される。これら小収容孔１８０は、大収容孔１７０の近傍であって大収容孔１７０よりも前方円板部１３１の外縁側に設けられるとともに、回転中心に対して点対称となるように設けられる。大収容孔１７０及び小収容孔１８０は、回転中心を径方向に通る線上に沿って直線的に配置されている。
【００６８】
図９を参照して、大収容孔１７０及び小収容孔１８０について説明する。一対の大収容孔１７０は同じ構成を有しているので、一方の大収容孔１７０（図８（Ａ）の上側の大収容孔１７０）についてのみ説明する。同様の理由から、小収容孔１８０についても、一方の小収容孔１８０（図８（Ａ）の上側の小収容孔１８０）についてのみ説明する。
【００６９】
図９に示すように、大収容孔１７０は、大演出球が演出領域１１３（図５（Ａ）参照）に送出されるのを許容する送出許容部１７１と、大演出球が演出領域１１３（図５（Ａ）参照）に送出されるのを規制する送出規制部１７２と、回転部材１３０の回転に伴って大演出球が送出許容部１７１及び送出規制部１７２の間で往来できるように送出許容部１７１及び送出規制部１７２と連通する連通部１７３と、を備える。
【００７０】
送出許容部１７１及び送出規制部１７２は、回転部材１３０の周方向に並んで連設される。送出許容部１７１が大送出口１１５ｂ（図５（Ａ）参照）に臨む場合に、送出許容部１７１の底部１７１ａとなる面は、大演出球が演出領域１１３（図５（Ａ）参照）に移動可能なように前方に向かって下り傾斜する。また、送出規制部１７２が大送出口１１５ｂ（図５（Ａ）参照）に臨む場合に、送出規制部１７２の底部１７２ａとなる面には、大演出球が演出領域１１３（図５（Ａ）参照）に移動するのを禁止するリブ１７４が突出形成される。リブ１７４は、送出規制部１７２の前端部に設けられる。
【００７１】
連通部１７３は、送出許容部１７１及び送出規制部１７２よりも回転部材１３０の外縁側に形成される。連通部１７３が大回収口１１７ｂ（図５（Ａ）参照）に臨む位置において、連通部１７３は回収通路１２４の第１誘導路１２６（図７（Ａ）参照）と連通する。連通部１７３は、回転部材１３０の周方向に対向するとともに、回転部材１３０の回転に伴って大演出球を送出許容部１７１又は送出規制部１７２に転動させる一対の転動面１７３ａを備えている。
【００７２】
一方、小収容孔１８０は、小演出球が演出領域１１３（図５（Ａ）参照）に送出されるのを許容する送出許容部１８１と、小演出球が演出領域１１３（図５（Ａ）参照）に送出されるのを規制する送出規制部１８２と、回転部材１３０の回転に伴って小演出球が送出許容部１８１及び送出規制部１８２の間で往来できるように送出許容部１８１及び送出規制部１８２と連通する連通部１８３と、を備える。
【００７３】
送出許容部１８１及び送出規制部１８２は、回転部材１３０の周方向に並んで連設される。小収容孔１８０の送出許容部１８１及び送出規制部１８２の周方向の並び順は、大収容孔１７０の送出許容部１７１及び送出規制部１７２の周方向の並び順とは逆に設定されている。
【００７４】
送出許容部１８１が小送出口１１５ａ（図５（Ａ）参照）に臨む場合に、送出許容部１８１の底部１８１ａとなる面は、小演出球が演出領域１１３（図５（Ａ）参照）に移動可能なように前方に向かって下り傾斜する。また、送出規制部１８２が小送出口１１５ａ（図５（Ａ）参照）に臨む場合に、送出規制部１８２の底部１８２ａとなる面には、小演出球が演出領域１１３（図５（Ａ）参照）に移動するのを禁止するリブ１８４が突出形成される。リブ１８４は、送出規制部１８２の前端部に設けられる。
【００７５】
連通部１８３は、送出許容部１８１及び送出規制部１８２よりも回転部材１３０の外縁側に形成される。連通部１８３は、連通部１８３が小回収口１１７ａ（図５（Ａ）参照）に臨む位置において、回収通路１２４の第２誘導路１２７（図７（Ａ）参照）と連通する。連通部１８３は、回転部材１３０の周方向に対向するとともに、回転部材１３０の回転に伴って小演出球を送出許容部１８１又は送出規制部１８２に転動させる一対の転動面１８３ａを備えている。
【００７６】
なお、前方円板部１３１の厚さは大演出球の直径よりも僅かに大きく設定されていりため、小収容孔１８０に臨む位置の後方円板部１３２には小収容孔１８０の奥行きを調整するための調整リブ１３３が突出形成されている。
【００７７】
図４、図１０（Ａ）、及び図１０（Ｂ）を参照して、裏面カバー１４０及び駆動モータ１５０について説明する。図１０（Ａ）及び図１０（Ｂ）は、裏面カバー１４０の前面斜視図及び裏面斜視図である。
【００７８】
図４に示すように、裏面カバー１４０は、回転部材１３０を覆うようにベース部材１１０の裏面に配設される。
【００７９】
図１０（Ａ）及び図１０（Ｂ）に示すように、裏面カバー１４０は、円板部１４１の裏面にモータ収容部１４２を備えている。駆動モータ１５０は、モータ収容部１４２を介して円板部１４１の裏面に設置される。駆動モータ１５０の駆動軸１５１は、円板部１４１の前方に突出し、図８（Ｂ）に示すように回転部材１３０の前方円板部１３１及び後方円板部１３２の中心に形成された軸受部１３４及び軸受部１３５に固定される。
【００８０】
裏面カバー１４０は、円板部１４１の前面に光電センサ１４４を収容するための収容凹部１４３を備える。収容凹部１４３には、回転部材１３０の位置を検出するためのコの字形状の光電センサ１４４が配設される。図８（Ｂ）に示すように、回転部材１３０の前方円板部１３１の裏面には、回転部材１３０の一方の送出許容部１７１、１８１がそれぞれ大送出口１１５ｂ、小送出口１１５ａ（図５（Ａ）参照）に臨む場合に光電センサ１４４の凹部に挿入され、光電センサ１４４の発射光を遮光する遮光部１３６が一対形成される。このように光電センサ１４４と回転部材１３０の遮光部１３６によって、回転部材１３０の位置が検出される。
【００８１】
なお、遮光部１３６は後方円板部１３２の挿通孔１３７を介して後方に突出するので、裏面カバー１４０の円板部１４１の前面には遮光部１３６が挿通する挿通溝１４５が形成される。この挿通溝１４５は、円板部１４１と同心の円形状溝として形成される。
【００８２】
次に、図１１〜図１７を参照して、上記した演出装置１００の動作、小演出球及び大演出球の挙動ついて説明する。
【００８３】
まず、図１１〜図１４を参照して、大演出球を演出領域１１３に送出後、再び大演出球を演出領域１１３に送出する場合について説明する。図１１（Ａ）及び図１１（Ｂ）は、大演出球送出直後の演出装置１００及び回転部材１３０を示す図である。図１２（Ａ）及び図１２（Ｂ）は、反時計回りに回転中の回転部材１３０を示す図である。図１３（Ａ）及び図１３（Ｂ）は、反時計回りに回転後の回転部材１３０及び演出装置１００を示す図である。図１４は、回収通路１２４近傍の演出装置１００の縦断面図である。
【００８４】
図１１（Ａ）に示すように大演出球が大送出口１１５ｂを介して演出領域１１３に送出された後、再び大演出球を送出する場合には、回転部材１３０は図１１（Ｂ）の状態から反時計回りに１８０度回転駆動される。
【００８５】
図１１（Ｂ）に示すように、大演出球の送出時には、残りの大演出球は大回収口１１７ｂ（図５（Ａ）参照）に臨む大収容孔１７０の連通部１７３にある。２つの小演出球はそれぞれ、小送出口１１５ａに臨む小収容孔１８０の送出規制部１８２と、小回収口１１７ａ（図５（Ａ）参照）に臨む小収容孔１８０の連通部１８３とにある。
【００８６】
回転部材１３０が反時計回りに回転駆動されると、大回収口１１７ｂ側の大収容孔１７０の連通部１７３に収容されている大演出球は、図１２（Ａ）及び図１２（Ｂ）に示すように、演出領域１１３の上部に位置する大送出口１１５ｂに向かって移送される。この大演出球は移送初期の段階では、図１２（Ａ）に示すように連通部１７３に位置したまま大送出口１１５ｂに向かって移送される。そして図１２（Ｂ）に示すように大収容孔１７０の連通部１７３が回転部材１３０の回転中心よりも高くなった後に、大演出球はその自重によって連通部１７３の転動面１７３ａを転動し大収容孔１７０の送出許容部１７１に移動する。このように移動した大演出球は、図１３（Ａ）及び図１３（Ｂ）に示すように、送出許容部１７１に収容されたまま大送出口１１５ｂまで移送される。
【００８７】
一方、図１２（Ａ）及び図１２（Ｂ）に示すように、小回収口１１７ａ側の小収容孔１８０の連通部１８３に収容されている小演出球は、演出領域１１３の上部に位置する小送出口１１５ａに向かって移送される。この小演出球は移送初期の段階では、図１２（Ａ）に示すように、連通部１８３に位置したまま小送出口１１５ａに向かって移送される。そして図１２（Ｂ）に示すように小収容孔１８０の連通部１８３が回転部材１３０の回転中心よりも高くなった後に、小演出球はその自重によって連通部１８３の転動面１８３ａを転動して送出規制部１８２に移動する。このように移動した小演出球は、図１３（Ａ）及び図１３（Ｂ）に示すように、送出規制部１８２に収容されたまま、小送出口１１５ａに向かって移送される。
【００８８】
なお、図１１（Ａ）及び図１１（Ｂ）において、小送出口１１５ａ側の小収容孔１８０の送出規制部１８２に収容されている小演出球は、演出領域１１３の下部に位置する小回収口１１７ａに向かって移送される。送出規制部１８２に収容されている小演出球は移送直後に小送出口１１５ａを横切るように通過するが、送出規制部１８２にはリブ１８４が設けられているので、小送出口１１５ａの通過時に小演出球が演出領域１１３に送出されることがない。この小演出球は移送初期の段階で、図１２（Ａ）に示すように自重によって送出規制部１８２から連通部１８３を介して送出許容部１８１に移動し、図１２（Ｂ）に示すように送出許容部１８１に収容された状態で小回収口１１７ａに向かって移送される。そして小収容孔１８０の送出許容部１８１が回転部材１３０の回転中心よりも低くなった後に、小演出球は、図１３（Ａ）に示すように送出許容部１８１から連通部１８３に移動し、小回収口１１７ａまで移送される。
【００８９】
図１３（Ａ）及び図１３（Ｂ）に示すように、大演出球が大送出口１１５ｂまで移送されると、大演出球は、下り傾斜する送出許容部１７１の底部１７１ａを転動し、大送出口１１５ｂを介して演出領域１１３に送出される。送出された大演出球は、第１転動部１１６及び第２転動部１６０の転動ステージ１６１を転動した後に、クルーン１６２の貫通孔１６４を通って回収通路１２４に導かれる。
【００９０】
なお、回収通路１２４に導かれた大演出球は、図１４に示すように、回収通路１２４の第１誘導路１２６を接続部１２３ａまで流下した後、接続部１２３ａ上を転動して大回収口１１７ｂから回転部材１３０の大収容孔１７０の連通部１７３に収容される。
【００９１】
図１３（Ｂ）に示すように大収容孔１７０の送出許容部１７１が大送出口１１５ｂに臨んでいる時には、小収容孔１８０の送出許容部１８１が小送出口１１５ａに臨んでいるため、送出規制部１８２に収容されている小演出球が演出領域１１３に送出されることがない。
【００９２】
上記の通り、演出装置１００の回転部材１３０が反時計回りに回転駆動されると、大演出及び小演出球は回転部材１３０によって、連通部１７３、１８３が大回収口１１７ｂ、小回収口１１７ａに臨む球回収位置から、送出許容部１７１、１８１が大送出口１１５ｂ、小送出口１１５ａに臨む球送出位置まで移送される。この移送過程で、大収容孔１７０の連通部１７３に収容されている大演出球は連通部１７３の転動面１７３ａを介して送出許容部１７１に移動し、小収容孔１８０の連通部１８３に収容されている小演出球は連通部１８３の転動面１８３ａを介して送出規制部１８２に移動する。したがって、球送出位置において、送出許容部１７１にある大演出球のみが演出領域１１３に送出されることとなる。
【００９３】
次に、図１１（Ａ）、図１１（Ｂ）、図１５〜図１７を参照して、大演出球を演出領域１１３に送出後、小演出球を演出領域１１３に送出する時の演出装置１００の動作について説明する。
【００９４】
図１５（Ａ）及び図１５（Ｂ）は、時計回りに回転中の回転部材１３０を示す図である。図１６（Ａ）及び図１６（Ｂ）は、時計回りに回転後の回転部材１３０及び演出装置１００を示す図である。図１７は、回収通路１２４近傍の演出装置１００の縦断面図である。
【００９５】
図１１（Ａ）に示すように大演出球が大送出口１１５ｂを介して演出領域１１３に送出された後、小演出球を送出する場合には、回転部材１３０は図１１（Ｂ）の状態から時計回りに１８０度回転駆動される。
【００９６】
回転部材１３０が時計回りに回転駆動されると、大回収口１１７ｂ側の大収容孔１７０の連通部１７３に収容されている大演出球は、図１５（Ａ）及び図１５（Ｂ）に示すように、演出領域１１３の上部に位置する大送出口１１５ｂに向かって移送される。この大演出球は移送初期の段階では、図１５（Ａ）に示すように連通部１７３に位置したまま大送出口１１５ｂに向かって移送される。そして図１５（Ｂ）に示すように大収容孔１７０の連通部１７３が回転部材１３０の回転中心よりも高くなった後に、大演出球はその自重によって連通部１７３の転動面１７３ａを転動し大収容孔１７０の送出規制部１７２に移動する。このように移動した大演出球は、図１６（Ａ）及び図１６（Ｂ）に示すように、送出規制部１７２に収容されたまま大送出口１１５ｂに向かって移送される。
【００９７】
一方、図１５（Ａ）及び図１５（Ｂ）に示すように、小回収口１１７ａ側の小収容孔１８０の連通部１８３に収容されている小演出球は、演出領域１１３の上部に位置する小送出口１１５ａに向かって移送される。この小演出球は移送初期の段階では、図１５（Ａ）に示すように連通部１８３に位置したまま小送出口１１５ａに向かって移送される。そして図１５（Ｂ）に示すように小収容孔１８０の連通部１８３が回転部材１３０の回転中心よりも高くなった後に、小演出球はその自重によって連通部１８３の転動面１８３ａを転動し小収容孔１８０の送出許容部１８１に移動する。このように移動した小演出球は、図１６（Ａ）及び図１６（Ｂ）に示すように、送出許容部１８１に収容されたまま小送出口１１５ａまで移送される。
【００９８】
なお、図１５（Ａ）に示すように、小送出口１１５ａ側の小収容孔１８０の送出規制部１８２に収容されている小演出球は、演出領域１１３の下部に位置する小回収口１１７ａに向かって移送される。図１５（Ｂ）に示すように小収容孔１８０の送出許容部１８１が回転部材１３０の回転中心よりも低くなった後に、送出規制部１８２に収容されている小演出球は送出規制部１８２から連通部１８３に移動し、図１６（Ａ）に示すように小回収口１１７ａまで移送される。
【００９９】
図１６（Ａ）及び図１６（Ｂ）に示すように、小演出球が小送出口１１５ａまで移送されると、小演出球は、下り傾斜する送出許容部１８１の底部１８１ａを転動し、小送出口１１５ａを介して演出領域１１３に送出される。送出された小演出球は、第１転動部１１６及び第２転動部１６０の転動ステージ１６１を転動した後に、クルーン１６２を通って貫通孔１６４から回収通路１２４に導かれる。
【０１００】
なお、回収通路１２４に導かれた小演出球は、図１７に示すように、回収通路１２４の第１誘導路１２６を通過し、第２誘導路１２７の下流端まで流下する。その後、小演出球は、下流端底部１２７ａ上を転動し、小回収口１１７ａを介して回転部材１３０の小収容孔１８０の連通部１８３内に収容される。
【０１０１】
図１６（Ｂ）に示すように、小収容孔１８０の送出許容部１８１が小送出口１１５ａに臨んでいる時には、大収容孔１７０の送出許容部１７１が大送出口１１５ｂに臨んでいるため、送出規制部１７２に収容されている大演出球が演出領域１１３に送出されることがない。
【０１０２】
上記の通り、演出装置１００の回転部材１３０が時計回りに回転駆動されると、大演出及び小演出球は回転部材１３０によって、連通部１７３、１８３が大回収口１１７ｂ、小回収口１１７ａに臨む球回収位置から、送出許容部１７１、１８１が大送出口１１５ｂ、小送出口１１５ａに臨む球送出位置まで移送される。この移送過程で、小収容孔１８０の連通部１８３に収容されている小演出球は連通部１８３の転動面１８３ａを介して送出許容部１８１に移動し、大収容孔１７０の連通部１７３に収容されている大演出球は連通部１７３の転動面１７３ａを介して送出規制部１７２に移動する。したがって、球送出位置において、送出許容部１８１にある小演出球のみが演出領域１１３に送出されることとなる。
【０１０３】
次に、図１８及び図１９を参照して、遊技機１の遊技制御装置５００及び演出制御装置４００について説明する。図１８は、遊技機１の遊技制御装置５００を中心とする制御系を示すブロック構成図である。図１９は、遊技機１の演出制御装置４００を中心とする制御系を示すブロック構成図である。
【０１０４】
図１８に示す遊技制御装置５００は、遊技機１における遊技を統括的に制御する主制御装置（主基板）である。遊技制御装置５００には、電源装置３００、払出制御装置５４０、及び演出制御装置４００が接続される。遊技制御装置５００は、払出制御装置５４０や演出制御装置４００に制御信号（主基板コマンド）を送信し、各種処理の実行を指示する。さらに、遊技制御装置５００には、各種スイッチや制御対象のソレノイド等が接続される。
【０１０５】
遊技制御装置５００は、各種演算処理を行うＣＰＵ部５１０と、各種信号の入力を受け付ける入力部５２０と、各種信号や制御信号を出力する出力部５３０とを備える。ＣＰＵ部５１０、入力部５２０及び出力部５３０は、互いにデータバスによって接続される。
【０１０６】
入力部５２０は、遊技盤３０等に設けられた各種スイッチから入力された信号や払出制御装置５４０から入力された信号を受け付ける。入力部５２０に入力された信号は、データバスを介してＣＰＵ部５１０に送信される。入力部５２０は、近接インターフェース（Ｉ／Ｆ）５２１及びポート５２２ａ、５２２ｂを備える。
【０１０７】
ポート５２２ａ、５２２ｂは、近接Ｉ／Ｆ５２１を介して入力された信号を受け付けたり、外部から入力された信号を直接受け付けたりする。ポート５２２ａ、５２２ｂはデータバスに接続されており、ポート５２２ａ、５２２ｂに入力された情報はデータバスを介してＣＰＵ部５１０等に提供される。
【０１０８】
近接Ｉ／Ｆ５２１は、各種スイッチからの入力信号を受け付け、それら入力信号を変換してポート５２２ａに出力するインターフェースである。近接Ｉ／Ｆ５２１に信号を入力する各種スイッチには、第１始動口スイッチ２０１、第２始動口スイッチ２０２、ゲートスイッチ２０３、入賞口スイッチ２０４ａ〜２０４ｎ、及びカウントスイッチ２０５が含まれる。
【０１０９】
第１始動口スイッチ２０１は、遊技球が第１始動入賞口３７ａに入賞したことを検出するスイッチである。第２始動口スイッチ２０２は、遊技球が第２始動入賞口３７ｂに入賞したことを検出するスイッチである。ゲートスイッチ２０３は、遊技球が普図始動ゲート３９を通過したことを検出するスイッチである。入賞口スイッチ２０４ａ〜２０４ｎは、遊技球が一般入賞口４０に入賞したことを検出するスイッチである。
【０１１０】
第１始動口スイッチ２０１及び第２始動口スイッチ２０２の検出信号は、ポート５２２ａに入力されるとともに、ＣＰＵ部５１０の反転回路５１２を介して遊技用マイコン５１１に入力される。これは、遊技用マイコン５１１の信号入力端子がロウレベルを有効レベルとして検知するように設計されているためである。
【０１１１】
カウントスイッチ２０５は、遊技球が上部大入賞口３６又は下部大入賞口３８に入賞したことを検出するスイッチである。遊技球の入賞が検出されると、入賞した遊技球の数がカウントされ、カウントされた遊技球の数が遊技制御装置５００に備えられたメモリに記憶される。
【０１１２】
近接Ｉ／Ｆ５２１に入力される信号の電圧は通常時には所定範囲内となっているため、近接Ｉ／Ｆ５２１によれば、各種スイッチからの信号の電圧値に基づいて各種スイッチにおけるリード線の断線、ショート、電圧値異常等を検出できる。このような異常を検出すると、近接Ｉ／Ｆ５２１は、異常検知出力端子から異常を示す信号を出力する。
【０１１３】
なお、近接Ｉ／Ｆ５２１に接続されるスイッチのコネクタの着脱によって、近接Ｉ／Ｆ５２１に入力される信号の出力値（ＯＮ／ＯＦＦ）が切り替わるため、近接Ｉ／Ｆ５２１はスイッチが接続されていない場合であっても出力を一定に維持するように構成されている。
【０１１４】
ポート５２２ａには磁気センサスイッチ２３及び振動センサスイッチ２４からの信号が直接入力され、ポート５２２ｂには前面枠開放検出スイッチ２５及びガラス枠開放検出スイッチ２６からの信号が直接入力される。また、ポート５２２ｂには、払出制御装置５４０から出力される各種信号も入力される。
【０１１５】
磁気センサスイッチ２３は、発射された遊技球の軌道を磁石によって操作する不正行為を検出するために磁力を検出する。振動センサスイッチ２４は、遊技機１を振動させる不正行為を検出するために遊技機１の振動を検出する。
【０１１６】
前面枠開放検出スイッチ２５は、前面枠５が開放されたことを検出する。前面枠開放検出スイッチ２５は、前面枠５が本体枠２から開放されるとオンに設定され、前面枠５が本体枠２に閉止されるとオフに設定される。
【０１１７】
ガラス枠開放検出スイッチ２６は、ガラス枠６が開放されたことを検出する。ガラス枠開放検出スイッチ２６は、ガラス枠６が前面枠５から開放されるとオンに設定され、ガラス枠６が前面枠５に閉止されるとオフに設定される。
【０１１８】
遊技制御装置５００のＣＰＵ部５１０は、遊技用マイコン５１１と、反転回路５１２と、水晶発振器５１３とを備える。
【０１１９】
遊技用マイコン５１１は、ＣＰＵ５１１ａ、ＲＯＭ５１１ｂ、及びＲＡＭ５１１ｃを有しており、入力部５２０を介して入力された信号に基づいてＲＯＭ５１１ｂに記憶されたプログラムを実行して大当り抽選等の各種処理を実行する。遊技用マイコン５１１は、出力部５３０を介して、遊技状態報知ＬＥＤ１２や状態表示器４２等から構成される特図／普図／遊技状態表示装置、普電ソレノイド２７、大入賞口ソレノイド２８ａ、２８ｂ、演出制御装置４００及び払出制御装置５４０等に制御信号を送信し、遊技機１を統括的に制御する。遊技用マイコン５１１は、チップセレクトで、信号を入力又は出力するポートを選択している。
【０１２０】
ＲＯＭ５１１ｂは、不揮発性の記憶媒体であり、遊技制御のためのプログラムやデータ等を記憶する。
【０１２１】
ＲＡＭ５１１ｃは、揮発性の記憶媒体であり、遊技制御に必要な情報（例えば、乱数値など）を一時的に記憶するワークエリアとして利用される。
【０１２２】
反転回路５１２は、近接Ｉ／Ｆ５２１を介して入力された信号（第１始動口スイッチ２０１及び第２始動口スイッチ２０２からの信号）の論理値を反転させ、遊技用マイコン５１１に入力する。
【０１２３】
水晶発振器５１３は、タイマ割込み、システムクロック信号、大当り抽選等を行うためのハード乱数の動作クロック源となっている。
【０１２４】
遊技制御装置５００の出力部５３０は、ポート５３１ａ〜５３１ｅと、バッファ５３２ａ、５３２ｂと、ドライバ５３３ａ〜５３３ｄと、フォトカプラ５３４とを備える。
【０１２５】
ポート５３１ａ〜５３１ｅは、データバスを介して入力された信号を受け付ける。
【０１２６】
バッファ５３２ａ、５３２ｂは、データバスやポート５３１ａ、５３１ｂを介して入力された信号を一時的に保持する。
【０１２７】
ドライバ５３３ａ〜５３３ｄは、ポート５３１ｃ〜５３１ｅを介して入力される信号から各種駆動信号を生成して各装置に出力する。
【０１２８】
フォトカプラ５３４は、検査装置機５４３に接続され、入出力される各種信号からノイズを除去して各種信号の波形を整形する。フォトカプラ５３４と検査装置機５４３との間は、シリアル通信によって情報が送受信される。
【０１２９】
払出制御装置５４０には、ポート５３１ａを介してパラレル通信によってＣＰＵ部５１０から出力された情報が送信される。払出制御装置５４０に対しては片方向通信を担保する必要がないため、ポート５３１ａから払出制御装置５４０の払出制御基板に制御信号が直接送信される。
【０１３０】
払出制御装置５４０は、遊技制御装置５００からの賞球指令信号に基づいて払出ユニット（図示省略）から賞球を排出させたり、カードユニット（図示省略）からの貸球要求信号に基づいて払出ユニットから貸球を排出させたりする。払出制御装置５４０は、球切れや故障等の障害が発生した場合に、払出異常ステータス信号やシュート球切れスイッチ信号、オーバーフロースイッチ信号を遊技制御装置５００に出力する。払出異常ステータス信号は、遊技球の払い出しが正常に行われていない場合に出力される信号である。払出シュート球切れスイッチ信号は、払い出し前の遊技球が不足している場合に出力される信号である。オーバーフロースイッチ信号は、下皿１４（図１参照）に所定量以上の遊技球が貯留されている場合に出力される信号である。
【０１３１】
演出制御装置４００には、出力部５３０のポート５３１ａからのデータストローブ信号（ＳＳＴＢ）及びポート５３１ｂからの８ｂｉｔのデータ信号がバッファ５３２ａを介して入力する。データストローブ信号（ＳＳＴＢ）は、データの有効又は無効を示す１ｂｉｔの信号である。バッファ５３２ａからの８＋１ｂｉｔの信号（サブコマンド）は、パラレル通信で出力される。バッファ５３２ａは、演出制御装置４００から遊技制御装置５００に信号を送信できないようにして片方向通信を担保するために設けられている。演出制御装置４００に送信されるサブコマンドには、変動開始コマンド、客待ちデモコマンド、ファンファーレコマンド、確率情報コマンド、及びエラー指定コマンド等の演出制御指令信号が含まれる。
【０１３２】
大入賞口ソレノイド２８ａ、２８ｂ及び普電ソレノイド２７には、ポート５３１ｃ及びドライバ５３３ａを介して、ＣＰＵ部５１０から出力された信号が入力する。大入賞口ソレノイド２８ａは上部大入賞口３６を開閉し、大入賞口ソレノイド２８ｂは下部大入賞口３８を開閉する。普電ソレノイド２７は、第２始動入賞口３７ｂの開閉部材３７ｃを開閉する。
【０１３３】
特図／普図／遊技状態表示装置は、遊技状態報知ＬＥＤ１２及び状態表示器４２等から構成されている。遊技制御装置５００は、特図／普図／遊技状態表示装置を制御するため信号を送信する。特図／普図／遊技状態表示装置を制御するための信号は、セグメントについてはポート５３１ｃ及びドライバ５３３ｂを介して出力され、デジットについてはポート５３１ｄ及びドライバ５３３ｃを介して出力される。なお、デジット線については、同期信号の入力を受け付けるように構成されている。
【０１３４】
外部情報端子５４２は、変動表示ゲームの開始を示すスタート信号や大当たり状態の発生を示す特賞信号等の遊技データを情報収集端末装置に出力するための端子である。遊技データは、ポート５３１ｅ及びドライバ５３３ｄを介して出力される。
【０１３５】
遊技制御装置５００は、試射試験装置に接続可能に構成されている。試射試験装置は、所定機関において遊技機１の型式試験を行うための装置である。試射試験装置には、第１始動口スイッチ２０１、第２始動口スイッチ２０２、ゲートスイッチ２０３、入賞口スイッチ２０４ａ〜２０４ｎ、及びカウントスイッチ２０５からの信号や、大入賞口ソレノイド２８ａ、２８ｂ及び普電ソレノイド２７に出力される信号等、試射試験に必要な情報が入力される。
【０１３６】
遊技制御装置５００は、シュミット回路５２３を介して、電源装置３００に接続する。シュミット回路５２３は、電源の立ち上がり時や電源遮断時において遊技機１の動作が不安定になることを防ぐために、入力信号の揺らぎ（ノイズ）を除去する回路である。シュミット回路５２３には、電源装置３００からの停電監視信号や初期化スイッチ信号、リセット信号が入力する。
【０１３７】
電源装置３００は、通常電源部３１０及びバックアップ電源部３２０を備える。
【０１３８】
通常電源部３１０は、ＤＣ３２Ｖの電源と、ＤＣ１２Ｖの電源と、ＤＣ５Ｖの電源とから構成されている。ＤＣ３２Ｖの電源は、各種ソレノイドを駆動させるための電源である。ＤＣ１２Ｖの電源は、近接Ｉ／Ｆ５２１のＩＣ、フォトカプラ５３４、特図／普図／遊技状態表示装置のＬＥＤを駆動するためのドライバＩＣに供給される電源である。ＤＣ５Ｖの電源は、電源モニタ用ＬＥＤの電源である。
【０１３９】
バックアップ電源部３２０は、遊技用マイコン５１１のＲＡＭ５１１ｃに記憶された遊技データをバックアップするための電源である。遊技制御装置５００は、停電復旧後、ＲＡＭ５１１ｃに保持された遊技データに基づいて、停電前の遊技状態に復旧させる。
【０１４０】
通常電源部３１０は、停電監視回路を有しており、ＤＣ１２Ｖ及びＤＣ５Ｖを生成するスイッチングレギュレータの入力電圧（保証ＤＣ３２Ｖ）を監視する。検出した電圧がＤＣ１７．２Ｖ〜ＤＣ２０．０Ｖのときに停電と判定し、電源装置３００から停電監視信号が出力される。停電監視信号は、シュミット回路５２３を経由して、入力部５２０のポート５２２ｂに入力する。停電監視信号の出力後には、停電監視回路はリセット信号を出力する。電源装置３００からのリセット信号は、シュミット回路５２３を経由して、遊技用マイコン５１１及び出力部５３０の各ポート５３１ａ〜５３１ｅに入力する。遊技制御装置５００は、停電監視信号を受け付けると所定の停電処理を行い、リセット信号を受け付けた後にＣＰＵ部５１０の動作を停止させる。
【０１４１】
電源装置３００は初期化スイッチ（図示省略）を備えており、電源投入時に初期化スイッチがＯＮ状態（操作された状態）となっている場合に、電源装置３００から初期化スイッチ信号が出力される。初期化スイッチ信号は、シュミット回路５２３を介して、入力部５２０のポート５２２ｂに入力する。
【０１４２】
図１９に示すように、演出制御装置４００は、遊技制御装置５００から送信された制御信号（主基板コマンド）等に基づいて変動表示装置３５、枠装飾装置２１及び枠演出装置２２、演出装置１００等から構成される盤装飾装置及び盤演出装置、上スピーカー１０ａ及び下スピーカー１０ｂを制御する。演出制御装置４００には、演出ボタン１７が操作されたことを検出する演出ボタンスイッチ２０６と、演出装置１００の回転部材１３０の回転位置を検出する回転位置検出スイッチ２０７とが接続する。
【０１４３】
演出制御装置４００は、遊技制御装置５００と同様に、電源装置３００から電力の供給を受ける。演出制御装置４００に電力を供給する通常電源部３１０には、遊技制御装置５００に電力を供給する電源のほか、ＤＣ１８Ｖの電源及びＮＤＣ２４Ｖの電源が含まれる。ＮＤＣ２４Ｖにおける“ＮＤＣ”は、脈流（整流後の電圧であって且つ平滑化処理前の電圧）を表す。
【０１４４】
演出制御装置４００は遊技の結果（遊技価値の付与）に影響を及ぼすような情報が記憶されていないため、バックアップ電源部３２０からは電力が供給されない構成となっている。
【０１４５】
なお、停電検出時には、電源装置３００から演出制御装置４００にリセット信号が出力される。
【０１４６】
演出制御装置４００は、ＣＰＵ４０１、コマンドインターフェース（Ｉ／Ｆ）４０２、ＰＲＯＭ４０３、ＣＰＵ／ＶＤＰ４０４、ＰＲＯＭ／画像ＲＯＭ４０５、ＶＲＡＭ４０６、信号変換回路４０７、音源ＬＳＩ４０８、音声ＲＯＭ４０９、アンプ回路４１０ａ、４１０ｂ、各種制御回路４１１〜４１４、及びＳＷ入力回路４１５を備える。
【０１４７】
コマンドＩ／Ｆ４０２は、遊技制御装置５００からの主基板コマンドの入力を受け付けるインターフェースである。主基板コマンドは、コマンドＩ／Ｆ４０２を介してＣＰＵ４０１に入力する。ＣＰＵ４０１には、ＳＷ入力回路４１５を介して、演出ボタンスイッチ２０６及び回転位置検出スイッチ２０７からの信号が入力する。
【０１４８】
ＣＰＵ４０１は、遊技制御装置５００からの制御信号等と、ＰＲＯＭ４０３に格納された情報（プログラム、データ等）とに基づいて、視覚的な演出を行うＣＰＵ／ＶＤＰ４０４、音声による演出を行う音源ＬＳＩ４０８、各種制御回路４１１〜４１４に指示を送り、各種演出を実行する。ＣＰＵ４０１は、遊技における演出制御に必要な情報を一時的に記憶するワークエリアとして利用されるＲＡＭ４０１ａを備えている。
【０１４９】
ＣＰＵ４０１は、各種制御回路４１１〜４１４に制御信号を出力し、枠装飾装置２１及び枠演出装置２２、演出装置１００等から構成される盤装飾装置及び盤演出装置を制御する。ＣＰＵ４０１と各種制御回路４１１〜４１４とは、アドレスバス／データバスによって接続されている。
【０１５０】
ＣＰＵ／ＶＤＰ４０４は、視覚的な演出を行うための演算装置であって、ＣＰＵ４０１からの要求に応じて変動表示装置３５を制御する。ＣＰＵ／ＶＤＰ４０４は、画像データ等が記憶されたＰＲＯＭ／画像ＲＯＭ４０５と、画像処理に必要な情報を一時的に記憶するＶＲＡＭ４０６とに接続する。ＣＰＵ／ＶＤＰ４０４は、ＲＡＭ４０４ａ及びスケーラ４０４ｂを備える。ＲＡＭ４０４ａは、演出制御に必要な情報を一時的に記憶するワークエリアとして利用される。スケーラ４０４ｂは、ＣＰＵ／ＶＤＰ４０４によって生成された１画素分の表示データを複数画素で共通に使用することによって表示データを拡大し、大画面の液晶パネルに画像を表示する。
【０１５１】
ＣＰＵ／ＶＤＰ４０４は、信号変換回路４０７を介して変動表示装置３５に画像信号を出力する。信号変換回路４０７は、変動表示装置３５の仕様にあわせて信号を変換する。
【０１５２】
ＣＰＵ／ＶＤＰ４０４は、ＣＰＵ４０１及び信号変換回路４０７に対して同期信号（ＶＳＹＮＣ、ＨＳＹＮＣ）を出力する。これにより、音声等による演出と変動表示装置３５における画像による演出との同期を取ることが可能になる。
【０１５３】
音源ＬＳＩ４０８は、ＣＰＵ４０１からの要求に応じて、音声ＲＯＭ４０９に記憶された音声データに基づいて効果音及び報知音等の音声信号を出力する。音源ＬＳＩ４０８から出力された音声信号は、アンプ回路４１０ａ、４１０ｂによって増幅され、上スピーカー１０ａ及び下スピーカー１０ｂから出力される。
【０１５４】
次に、図２０を参照して、演出制御装置４００の動作状態について説明する。図２０は、演出制御装置４００の状態遷移図である。
【０１５５】
電源装置３００から演出制御装置４００に電力が供給されると、演出制御装置４００はコマンド入力待ち状態となる（Ｓ１０１）。
【０１５６】
コマンド入力待ち状態で電源投入コマンド（ｃｄ）が入力されると、演出制御装置４００は、ＲＡＭ初期化処理を実行する（Ｓ１０２）。ＲＡＭ初期化処理では、ＲＡＭ４０１ａの内容が初期化され、電源投入時に必要な処理が実行される。また、コマンド入力待ち状態で停電復旧コマンドが入力された場合には、演出制御装置４００は停電復旧中状態となる（Ｓ１０３）。停電復旧中状態では、停電復旧に必要な処理が実行される。そして、ＲＡＭ初期化処理及び停電復旧時処理の実行後、演出制御装置４００は、メインコマンドからの入力を待つ待機状態に遷移し、入力されたメインコマンドに応じた処理を実行する（Ｓ１０４）。
【０１５７】
客待ちデモコマンドが入力されると、演出制御装置４００は、客待ち中状態となる（Ｓ１０５）。客待ち中状態では、演出制御装置４００は、所定時間（例えば１０分間）の間、他のコマンドが入力されたか否かを判定する。所定時間の間に他のコマンドが入力された場合には、演出制御装置４００は入力された他のコマンドに対応する状態へ遷移する。これに対して、所定時間の間に他のコマンドが入力されなかった場合には、演出制御装置４００は客待ちデモ中状態に遷移する（Ｓ１０６）。客待ちデモ中状態では、客待ちデモを変動表示装置３５に表示する。
【０１５８】
演出制御装置４００にエンディングコマンドが入力されると、演出制御装置４００はエンディング中状態に遷移し、大当たりが終了したことを示すエンディング画面を変動表示装置３５に表示する（Ｓ１０７）。
【０１５９】
演出制御装置４００にインターバルコマンドが入力されると、演出制御装置４００はインターバル中状態に遷移する（Ｓ１０８）。インターバル中状態では、大当たり中に上部大入賞口３６や下部大入賞口３８が閉じられるインターバル期間であることを変動表示装置３５に表示する。
【０１６０】
演出制御装置４００にラウンド数コマンドが入力されると、演出制御装置４００はラウンド中状態に遷移する（Ｓ１０９）。ラウンド中状態では、現在のラウンド数を変動表示装置３５に表示する。
【０１６１】
演出制御装置４００にファンファーレコマンドが入力されると、演出制御装置４００はファンファーレ中状態に遷移する（Ｓ１１０）。ファンファーレ中状態では、ファンファーレ音を上スピーカー１０ａ及び下スピーカー１０ｂから出力する。
【０１６２】
次に、変動パターンコマンド、先読み演出コマンド、及び飾り特図保留数コマンドが演出制御装置４００に入力された場合について説明する。
【０１６３】
変動パターンコマンドが入力されると、演出制御装置４００は、図柄変動中状態に遷移する（Ｓ１１１）。図柄変動中状態では、変動パターンコマンドによって特定される変動時間の間、変動表示装置３５で図柄を変動表示させるとともに演出装置１００で遊技演出を実行させる。そして、変動パターンコマンドに含まれる変動時間が経過すると、演出制御装置４００は、図柄確定中状態に遷移する（Ｓ１１２）。図柄確定中状態では、機種・図柄指定情報の図柄指定情報に基づいて、変動表示されていた図柄を停止する。図柄変動中状態Ｓ１１１及び図柄確定中状態Ｓ１１２において、先読み演出コマンド及び飾り特図保留数コマンドが入力されていると、先読み演出が実行される。
【０１６４】
なお、電源が投入されている状態であっても、停電復旧コマンドが入力された場合には、演出制御装置４００は停電復旧中状態に遷移する（Ｓ１０３）。そして、電源投入コマンドが入力された場合には、演出制御装置４００はＲＡＭ初期化処理を実行する（Ｓ１０２）。
【０１６５】
上記した演出制御装置４００は、特図変動表示ゲームの結果が特別結果となる期待度の高さに応じて演出装置１００を制御する。
【０１６６】
図２１（Ａ）を参照して、演出制御装置４００による演出装置１００の制御について説明する。図２１（Ａ）は、遊技制御装置５００から演出制御装置４００に送信される変動パターンコマンドをテーブル化した情報設定テーブルの一例である。
【０１６７】
演出制御装置４００は、図２１（Ａ）の情報設定テーブルに示した変動パターンコマンドに基づいて、演出装置１００の回転部材１３０及び表示部１１８の動作を制御するとともに、上スピーカー１０ａ及び下スピーカー１０ｂにおける予告音演出を制御する。
【０１６８】
まず、変動表示装置３５で実行される特図変動表示ゲームの結果がハズレとなる場合について説明する。
【０１６９】
特図変動表示ゲームの変動パターンが、３つの可変表示領域の図柄が全て異なる図柄となるノーマル変動の場合には、演出装置１００での演出球による遊技演出及び上下スピーカー１０ａ、１０ｂでの予告音演出は実行されず、演出装置１００の表示部１１８は消灯状態に設定される。
【０１７０】
特図変動表示ゲームの変動パターンが、２つの可変表示領域の図柄が同じになるノーマルリーチ変動後にハズレとなる場合には、演出装置１００での演出球による遊技演出及び上下スピーカー１０ａ、１０ｂでの予告音演出は実行されず、演出装置１００の表示部１１８は消灯状態に設定される。
【０１７１】
特図変動表示ゲームの変動パターンが、２つの可変表示領域の図柄が同じになるとともにリーチ状態が長く続くロングリーチ変動後にハズレとなる場合には、上下スピーカー１０ａ、１０ｂでの予告音演出は実行されないが、演出装置１００の回転部材１３０が時計回りに回転駆動され（図１５（Ａ）〜図１６（Ｂ）参照）、小演出球による遊技演出が実行される。また、演出装置１００の表示部１１８には、特図変動表示ゲームの結果が特別結果（大当たり結果態様）となる期待度の高さに応じた数値が点灯表示される。
【０１７２】
特図変動表示ゲームの変動パターンが、ロングリーチ変動よりも特別結果となる期待度の高いスペシャル（ＳＰ）１変動後にハズレとなる場合には、上下スピーカー１０ａ、１０ｂでの予告音演出は実行されないが、演出装置１００の回転部材１３０が時計回りに回転駆動され、小演出球による遊技演出が実行される。また、演出装置１００の表示部１１８には、特図変動表示ゲームの結果が特別結果となる期待度の高さに応じた数値が点灯表示される。
【０１７３】
特図変動表示ゲームの変動パターンが、ＳＰ１リーチ変動よりも特別結果となる期待度の高いＳＰ２変動後にハズレとなる場合には、演出装置１００の回転部材１３０が反時計回りに回転駆動され（図１２（Ａ）〜図１３（Ｂ）参照）、大演出球による遊技演出が実行される。演出装置１００の表示部１１８には、特図変動表示ゲームの結果が特別結果となる期待度の高さに応じた数値が点灯表示される。さらに、上下スピーカー１０ａ、１０ｂからは特別結果となる期待度に応じた予告音が報知される。
【０１７４】
次に、特図変動表示ゲームの結果が大当たりとなる場合について説明する。
【０１７５】
特図変動表示ゲームの変動パターンが、ノーマルリーチ変動後に大当たりとなる場合には、演出装置１００での演出球による遊技演出及び上下スピーカー１０ａ、１０ｂでの予告音演出は実行されず、演出装置１００の表示部１１８は消灯状態に設定される。
【０１７６】
特図変動表示ゲームの変動パターンが、ロングリーチ変動後に大当たりとなる場合には、上下スピーカー１０ａ、１０ｂでの予告音演出は実行されないが、演出装置１００の回転部材１３０が時計回りに回転駆動され、小演出球による遊技演出が実行される。また、演出装置１００の表示部１１８には、特図変動表示ゲームの結果が特別結果となる期待度の高さに応じた数値が点灯表示される。
【０１７７】
特図変動表示ゲームの変動パターンが、ＳＰ１変動後に大当たりとなる場合には、演出装置１００の回転部材１３０が反時計回りに回転駆動され、大演出球による遊技演出が実行される。演出装置１００の表示部１１８には、特図変動表示ゲームの結果が特別結果となる期待度の高さに応じた数値が点灯表示される。さらに、上下スピーカー１０ａ、１０ｂからは特別結果となる期待度に応じた予告音が報知される。
【０１７８】
特図変動表示ゲームの変動パターンが、ＳＰ２変動後に大当たりとなる場合には、演出装置１００の回転部材１３０が反時計回りに回転駆動され、大演出球による遊技演出が実行される。上下スピーカー１０ａ、１０ｂからは特別結果となる期待度に応じた予告音が報知される。演出装置１００の表示部１１８には、大当たりであることを報知するように”７７７”等の数値が点灯表示される。
【０１７９】
なお、特図変動表示ゲームが大当たりとなる場合には、演出効果をより高めるために、表示部１１８における数値を点滅表示させるようにしてもよい。
【０１８０】
図２１（Ｂ）を参照して、ＳＰ１変動後に大当たりとなる場合における演出装置１００及び上下スピーカー１０ａ、１０ｂの演出タイミングについて説明する。図２１（Ｂ）は、演出装置１００等による遊技演出のタイミングチャートの一例である。
【０１８１】
第１始動入賞口３７ａに遊技球が入賞すると、第１始動口スイッチ２０１がオンになり、変動表示装置３５の表示部３５ａで特図変動表示ゲームが開始される。
【０１８２】
特図変動表示ゲームの変動パターンがＳＰ１変動後に大当たりとなる場合には、リーチ変動期間が開始するタイミングで、遊技制御装置５００から図２１（Ａ）のＦＦ０３Ｈコマンドが演出制御装置４００に送信される。このコマンドに基づいて演出制御装置４００は、演出装置１００の回転部材１３０が反時計回りに回転するように（図１２（Ａ）〜図１３（Ｂ）参照）、駆動モータ１５０を駆動させる。これと同時に、演出装置１００の表示部１１８では特図変動表示ゲームに対する期待度に応じた数値が表示され、上下スピーカー１０ａ、１０ｂからは予告音が報知される。
【０１８３】
回転部材１３０が反時計回りに回転し始めると回転位置検出スイッチ２０７がオフになり、回転部材１３０の大収容孔１７０の送出許容部１７１が球送出位置に達した時に回転位置検出スイッチ２０７がオンとなる。この時、大演出球が演出領域１１３に送出され、大演出球による遊技演出が行われる。特図変動表示ゲームのリーチ変動期間が終わるまでに、大演出球は回収通路１２４まで流下し、大演出球による遊技演出は終了する。
【０１８４】
なお、変動表示ゲーム実行中に第１始動入賞口３７ａに遊技球が入賞した場合には、今回の変動表示ゲーム終了後に変動表示ゲームを実行するように、演出制御装置４００に保留記憶される。
【０１８５】
以上により、第１実施形態における演出装置１００によれば、下記の効果を得ることが可能となる。
【０１８６】
演出装置１００は、小演出球及び大演出球が流下する演出領域１１３を有するベース部材１１０と、ベース部材１１０の裏面に回転自在に配設される回転部材１３０と、を備える。回転部材１３０に形成される小収容孔１８０の送出許容部１８１及び送出規制部１８２の周方向の並び順は、大収容孔１７０の送出許容部１７１及び送出規制部１７２の周方向の並び順とは逆に設定されている。演出装置１００の回転部材１３０が反時計回りに回転駆動されると、大演出及び小演出球は回転部材１３０によって、連通部１７３、１８３が大回収口１１７ｂ、小回収口１１７ａに臨む球回収位置から、送出許容部１７１、１８１が大送出口１１５ｂ、小送出口１１５ａに臨む球送出位置まで移送される。この移送過程で、大収容孔１７０の連通部１７３に収容されている大演出球は連通部１７３の一方の転動面１７３ａを介して送出許容部１７１に移動し、小収容孔１８０の連通部１８３に収容されている小演出球は連通部１８３の一方の転動面１８３ａを介して送出規制部１８２に移動する。したがって、球送出位置において、送出許容部１７１にある大演出球のみが演出領域１１３に送出されることとなる。これに対して、回転部材１３０が時計回りに回転駆動されると、大演出及び小演出球は回転部材１３０によって球回収位置から球送出位置まで移送される。この移送過程で、小収容孔１８０の連通部１８３に収容されている小演出球は連通部１８３の他方の転動面１８３ａを介して送出許容部１８１に移動し、大収容孔１７０の連通部１７３に収容されている大演出球は連通部１７３の他方の転動面１７３ａを介して送出規制部１７２に移動する。したがって、球送出位置において、送出許容部１８１にある小演出球のみが演出領域１１３に送出されることとなる。
【０１８７】
このように演出装置１００では、回転部材１３０の回転方向を変更することによって、大演出球による遊技演出と小演出球による遊技演出を選択的に実行するので、大きさが同じ演出球のみで遊技演出を行う従来の演出装置と比較して、演出効果を高めることが可能となる。
【０１８８】
また、演出装置１００では、回転部材１３０を駆動モータ１５０によって直接回転駆動するようにしたので、比較的簡素な構成で大演出球又は小演出球による遊技演出を実行することが可能となる。
【０１８９】
演出装置１００は変動表示ゲームの結果が特別結果となることに対する期待度に応じて回転部材１３０の回転方向が制御され、期待度が低い場合には小演出球が送出されるように回転部材１３０が時計回りに回転駆動され、期待度が高い場合には大演出球を送出されるように回転部材１３０が反時計回りに回転駆動される。したがって、演出装置１００では、特別結果となる期待度に応じた遊技演出を実行することができ、遊技演出の演出効果をさらに高めることが可能となる。
【０１９０】
（第２実施形態）
図２２を参照して、本発明の第２の実施形態について説明する。図２２は、第２実施形態の演出装置１００の分解斜視図である。
【０１９１】
以下では、第１実施形態と異なる点を中心に説明し、第１実施形態と同様の構成には同一の符号を付する。
【０１９２】
図２２に示す第２実施形態の演出装置１００においては、ベース部材１１０の裏面に回転自在に配設される回転部材１３０の構成が第１実施形態の回転部材の構成と異なっている。
【０１９３】
図２３〜図２６を参照して、回転部材１３０の構成について説明する。図２３（Ａ）は回転部材１３０の分解斜視図であり、図２３（Ｂ）は回転部材１３０の裏面斜視図である。図２４（Ａ）は回転部材１３０の前面斜視図であり、図２４（Ｂ）は大収容孔１７０及び小収容孔１８０の拡大図である。図２５（Ａ）は回転部材１３０の縦断面図であり、図２５（Ｂ）は回転部材１３０の横断面図である。図２６（Ａ）は前面カバー１２０の一部を省略した時の演出装置１００の前面斜視図であり、図２６（Ｂ）は演出装置１００の縦断面図である。
【０１９４】
図２３（Ａ）及び図２４（Ａ）に示すように、回転部材１３０は、前方円板部１３１が後方円板部１３２に組付けられた状態で大収容孔１７０と小収容孔１８０が形成されるように構成されている。大収容孔１７０は回転部材１３０に一対設けられ、これら大収容孔１７０は回転部材１３０の回転中心に対して点対称となるように設けられる。また、小収容孔１８０も回転部材１３０に一対設けられる。これら小収容孔１８０は、大収容孔１７０の近傍であって大収容孔１７０よりも回転部材１３０の外縁側に設けられるとともに、回転中心に対して点対称となるように設けられる。大収容孔１７０及び小収容孔１８０は、回転中心を径方向に通る線上に沿って直線的に配置されている。
【０１９５】
図２５（Ａ）、図２６（Ａ）、及び図２６（Ｂ）に示すように、大収容孔１７０の送出許容部１７１は、前方円板部１３１及び後方円板部１３２に形成される。大収容孔１７０の送出規制部１７２は、後方円板部１３２に形成される。送出許容部１７１と送出規制部１７２とは前後方向に並んで連設される。送出許容部１７１が大送出口１１５ｂに臨む場合に、送出許容部１７１の底部１７１ａとなる面は、大演出球が演出領域１１３に移動可能なように前方に向かって下り傾斜する。また、送出規制部１７２が大送出口１１５ｂに臨む場合に、送出規制部１７２の底部１７２ａとなる面には、大演出球が送出許容部１７１に移動するのを禁止するリブ１７４が突出形成される。
【０１９６】
大収容孔１７０の連通部１７３は、送出許容部１７１及び送出規制部１７２よりも回転部材１３０の外縁側であって、前方円板部１３１及び後方円板部１３２の前後方向に亘って形成される。連通部１７３は、回転部材１３０の回転に伴って大演出球が送出許容部１７１及び送出規制部１７２の間で往来できるように、送出許容部１７１と送出規制部１７２とを連通する。
【０１９７】
図２５（Ａ）、図２６（Ａ）、及び図２６（Ｂ）に示すように、小収容孔１８０の送出許容部１８１は、前方円板部１３１に形成される。小収容孔１８０の送出規制部１８２は、後方円板部１３２に形成される。送出許容部１８１と送出規制部１８２とは前後方向に並んで連設される。送出許容部１８１が小送出口１１５ａに臨む場合に、送出許容部１８１の底部１８１ａとなる面は、小演出球が演出領域１１３に移動可能なように前方に向かって下り傾斜する。また、送出規制部１８２が小送出口１１５ａに臨む場合に、送出規制部１８２の底部１８２ａとなる面には、小演出球が送出許容部１８１に移動するのを禁止するリブ１８４が突出形成される。
【０１９８】
小収容孔１８０の連通部１８３は、送出許容部１８１及び送出規制部１８２よりも回転部材１３０の外縁側であって、前方円板部１３１及び後方円板部１３２の前後方向に亘って形成される。連通部１８３は、回転部材１３０の回転に伴って小演出球が送出許容部１８１及び送出規制部１８２の間で往来できるように、送出許容部１８１と送出規制部１８２とを連通する。
【０１９９】
なお、後方円板部１３２は、図２３（Ｂ）に示すように、小収容孔１８０が形成される部分よりも大収容孔１７０が形成される部分が後方に突出するように構成されている。後方円板部１３２は、大収容孔１７０が形成される部分の裏面に一対の遮光部１３６を備えている。
【０２００】
図２４（Ｂ）及び図２５（Ｂ）に示すように、大収容孔１７０の連通部１７３及び小収容孔１８０の連通部１８３は、回転部材１３０の周方向において対向する一対の転動面１７３ａ及び一対の転動面１８３ａを備える。
【０２０１】
大収容孔１７０の連通部１７３の転動面１７３ａは、前後方向（回転部材１３０の回転中心軸方向）に対して傾斜するように形成されている。図２４（Ｂ）においては、連通部１７３の転動面１７３ａは後方ほど前後方向に対して右側に傾斜する。
【０２０２】
小収容孔１８０の連通部１８３の転動面１８３ａは、前後方向（駆動モータ１５０の駆動軸１５１の延設方向）に対して傾斜するように形成されている。図２４（Ｂ）においては、連通部１８３の転動面１８３ａは後方ほど前後方向に対して左側に傾斜する。このように小収容孔１８０の連通部１８３の転動面１８３ａの傾斜方向は、大収容孔１７０の連通部１７３の転動面１７３ａの傾斜方向とは逆向きに設定されている。
【０２０３】
したがって、図２５（Ｂ）に示すように、大収容孔１７０及び小収容孔１８０が水平状態となる位置では、右側の小収容孔１８０の連通部１８３の転動面１８３ａは前方に下り傾斜し、右側の大収容孔１７０の連通部１７３の転動面１７３ａは後方に下り傾斜する。一方、左側の小収容孔１８０の連通部１８３の転動面１８３ａは後方に下り傾斜し、左側の大収容孔１７０の連通部１７３の転動面１７３ａは前方に下り傾斜する。
【０２０４】
図２７（Ａ）及び図２７（Ｂ）を参照して、小演出球送出時の演出装置１００の動作について説明する。図２７（Ａ）及び図２７（Ｂ）は、演出装置１００の横断面図及び縦断面図である。なお、図２７（Ａ）及び図２７（Ｂ）は、小演出球を演出領域１１３に送出後、再び小演出球を演出領域１１３に送出する場合を例示したものである。
【０２０５】
小演出球を送出する場合、演出装置１００の回転部材１３０は、小収容孔１８０の連通部１８３に収容されている小演出球を小送出口１１５ａまで移送するように、反時計回りに１８０度回転駆動される。
【０２０６】
図２７（Ａ）に示すように、小収容孔１８０及び大収容孔１７０が水平状態となる位置まで回転部材１３０が反時計回りに回転駆動されると、小送出口１１５ａに向かって移送中の小演出球は、自重により連通部１８３の転動面１８３ａを転動し、連通部１８３の前方に移動する。この時、大送出口１１５ｂに向かって移送中の大演出球は、自重により連通部１７３の転動面１７３ａを転動し、連通部１７３の後方に移動する。大回収口１１７ｂに向かって移送中の大演出球は、自重により連通部１７３の転動面１７３ａを転動し、連通部１７３の前方に移動する。
【０２０７】
そして、図２７（Ａ）の状態よりも回転部材１３０が反時計回りに回転駆動されると、小送出口１１５ａに向かって移送中の小演出球は、自重により連通部１８３の前方から送出許容部１８１に移動する。この時、大送出口１１５ｂに向かって移送中の大演出球は、自重により連通部１７３の後方から送出規制部１７２に移動する。大回収口１１７ｂに向かって移送中の大演出球は、連通部１７３に収容されたままである。
【０２０８】
図２７（Ｂ）に示すように、小演出球が小送出口１１５ａまで移送されると、小演出球は、下り傾斜する送出許容部１８１の底部１８１ａを転動し、小送出口１１５ａを介して演出領域１１３に送出される。なお、前回送出されていた小演出球は、回収通路１２４の第２誘導路１２７を通り、小回収口１１７ａを介して小収容孔１８０の連通部１８３に収容される。
【０２０９】
小収容孔１８０の送出許容部１８１が小送出口１１５ａに臨んでいる時には、大収容孔１７０の送出許容部１７１及び送出規制部１７２は大送出口１１５ｂに臨んでいる。しかしながら、大演出球は、送出規制部１７２に収容されているため、演出領域１１３に送出されることはない。
【０２１０】
以上により、第２実施形態における演出装置１００によれば、下記の効果を得ることが可能となる。
【０２１１】
演出装置１００は、小演出球及び大演出球が流下する演出領域１１３を有するベース部材１１０と、ベース部材１１０の裏面に回転自在に配設される回転部材１３０と、を備える。大収容孔１７０の連通部１７３の転動面１７３ａ及び小収容孔１８０の連通部１８３の転動面１８３ａは前後方向に対して傾斜しており、小収容孔１８０の連通部１８３の転動面１８３ａの傾斜方向は大収容孔１７０の連通部１７３の転動面１７３ａの傾斜方向とは逆向きに設定されている。
【０２１２】
小演出球送出時には、演出装置１００の回転部材１３０は反時計回りに回転駆動される。このように回転部材１３０が回転駆動されると、大演出及び小演出球は回転部材１３０によって、連通部１７３、１８３が大回収口１１７ｂ、小回収口１１７ａに臨む球回収位置から、送出許容部１７１、１８１が大送出口１１５ｂ、小送出口１１５ａに臨む球送出位置まで移送される。この移送過程で、小収容孔１８０の連通部１８３に収容されている小演出球は連通部１８３の一方の転動面１８３ａを介して連通部１８３の前方に移動し、その後連通部１８３から送出許容部１８１に移動し、大収容孔１７０の連通部１７３に収容されている大演出球は連通部１７３の一方の転動面１７３ａを介して連通部１７３を後方に移動し、その後連通部１７３から送出規制部１７２に移動する。したがって、球送出位置において、送出許容部１８１にある小演出球のみが演出領域１１３に送出されることとなる。これに対して、大演出球送出時には、演出装置１００の回転部材１３０は時計回りに回転駆動される。このように回転部材１３０が回転駆動されると、球回収位置から球送出位置への大演出球及び小演出球の移送過程で、小収容孔１８０の連通部１８３に収容されている小演出球は連通部１８３の他方の転動面１８３ａを介して連通部１８３を後方に移動し、その後連通部１８３から送出規制部１８２に移動し、大収容孔１７０の連通部１７３に収容されている大演出球は連通部１７３の他方の転動面１７３ａを介して連通部１７３を前方に移動し、その後連通部１７３から送出許容部１７１に移動する。したがって、球送出位置において、送出許容部１７１にある大演出球のみが演出領域１１３に送出されることとなる。
【０２１３】
このように演出装置１００では、回転部材１３０の回転方向を変更することによって、大演出球による遊技演出と小演出球による遊技演出を選択的に実行することができ、第１実施形態の場合と同様の効果を得ることが可能となる。
【０２１４】
なお、本発明は上記の実施形態に限定されずに、その技術的な思想の範囲内において種々の変更がなし得ることは明白である。
【産業上の利用可能性】
【０２１５】
本発明の遊技機は、上記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【符号の説明】
【０２１６】
１        遊技機
３０      遊技盤
３１      遊技領域
３４      センターケース
３５      変動表示装置
３５ａ    表示部
３７      始動入賞口
１００    演出装置
１１０    ベース部材
１１３    演出領域
１１４    収容領域
１１５ａ  小送出口
１１５ｂ  大送出口
１１７ａ  小回収口
１１７ｂ  大回収口
１２０    前面カバー
１２４    回収通路
１２６    第一誘導路
１２７    第二誘導路
１３０    回転部材
１４０    裏面カバー
１５０    駆動モータ
１５１    駆動軸
１７０    大収容孔
１７１    送出許容部
１７２    送出規制部
１７３    連通部
１７３ａ  転動面
１７４    リブ
１８０    小収容孔
１８１    送出許容部
１８２    送出規制部
１８３    連通部
１８３ａ  転動面
１８４    リブ
４００    演出制御装置
５００    遊技制御装置
【図１】
2011177328.tif 000003
【図２】
2011177328.tif 000004
【図３】
2011177328.tif 000005
【図４】
2011177328.tif 000006
【図５】
2011177328.tif 000007
【図６】
2011177328.tif 000008
【図７】
2011177328.tif 000009
【図８】
2011177328.tif 000010
【図９】
2011177328.tif 000011
【図１０】
2011177328.tif 000012
【図１１】
2011177328.tif 000013
【図１２】
2011177328.tif 000014
【図１３】
2011177328.tif 000015
【図１４】
2011177328.tif 000016
【図１５】
2011177328.tif 000017
【図１６】
2011177328.tif 000018
【図１７】
2011177328.tif 000019
【図１８】
2011177328.tif 000020
【図１９】
2011177328.tif 000021
【図２０】
2011177328.tif 000022
【図２１】
2011177328.tif 000023
【図２２】
2011177328.tif 000024
【図２３】
2011177328.tif 000025
【図２４】
2011177328.tif 000026
【図２５】
2011177328.tif 000027
【図２６】
2011177328.tif 000028
【図２７】
2011177328.tif 000029